(57)【要約】【課題】周囲に存在するあらゆる物体が放射する電磁波の存在を検知して、ユーザに警告を発する携帯通信端末を提供する。【解決手段】検知用アンテナ２は、所定の周波数の電磁を受信する。電界強度測定器４は、検知用アンテナ２で検知可能な近隣の範囲内に存在する物体が放射する、所定の周波数の電磁波の電界強度を測定し、測定した電界強度が所定の強度に達することを検知すると、警告信号を出力する。スピーカ６は、無線回路３で復調された音声や、着信音などの出力を行うとともに、電界強度測定器４から出力された警告信号を受けて、警告のための所定の音を発生させる。【選択図】    図１
2005038087.tif 000002
【特許請求の範囲】
【請求項１】
通信用の周波数の電磁波を受信して通信を行う携帯通信端末において、
前記通信用の周波数と異なる所定の周波数の電磁波を受信する受信手段と、
前記受信手段により受信された電磁波の電界強度を測定する測定手段と、
前記測定手段により測定された電界強度が所定の強度に達することを検出する検出手段と
前記検出に応じて警告を発する警告手段とを備える携帯通信端末。
【請求項２】
前記警告は、音、振動または光である請求項１に記載の携帯通信端末。
【請求項３】
前記警告は、音、振動、および光のすくなくともいずれか２種類の組み合わせである請求項１に記載の携帯通信端末。
【発明の詳細な説明】
【０００１】
【発明の属する技術分野】
この発明は、携帯電話やＰＨＳなどの携帯通信端末、特に、電磁波を受信して警告を発する携帯通信端末に関する。
【０００２】
【従来の技術】
【特許文献１】特開平１０−３２０６６８号公報
【特許文献２】特開２０００−２１６６１０号公報
【特許文献３】特開２００１−２１７６２０号公報
日常生活において使用されるあらゆる電気機器（携帯電話、パソコン、テレビ、電子レンジ等）は、さまざまな周波数の電磁波を発生させている。これら電磁波は、電気機器が動作することにより必然的に発生するものである。近年は、情報通信技術の発展等により、電磁波が果たす役割は大きくなり、電磁波の発生量は一層増加すると考えられる。一方、電磁波が、他の電気機器や生物に与える影響に関して、関心が高まっている。しかし、電気機器から発生する電磁波は、人間が直接認識することは困難である。
【０００３】
特許文献１では、携帯通信端末により発生された電磁波を受信して、ユーザに警告を発する電磁波警報装置が提案されている。また、特許文献２では、携帯通信端末から送信された電磁波のうち、人体からの反射波を測定することにより、アンテナと人体とが接触したことを検知してユーザに警告を発する検知装置が提案されている。さらに、特許文献３では、着信に応答する電磁波を検知して、ユーザに視覚的に知らせる電磁波検知器が提案されている。
【０００４】
【発明が解決しようとする課題】
しかし、特許文献１で提案された電磁波警報装置は、携帯通信端末が送信した電磁波を受信して警告を発するものであり、また、特許文献２で提案された検知装置は、携帯通信端末により送信された電磁波の反射波を検知するものであり、さらに、特許文献３で提案された電磁波検知器は、携帯通信端末に向けて送信された電磁波を受信してユーザに視認させるものである。すなわち、これらは、携帯通信端末自体が本来送受信する電磁波を受信して、警告を発し、または視認させるもものにすぎない。
【０００５】
本発明は、周囲に存在するあらゆる物体が放射する電磁波の存在を検知して、ユーザに警告を発する携帯通信端末を提供することを目的とする。
【０００６】
【課題を解決するための手段】
この携帯通信端末は、通信用の周波数の電磁波を受信して通信を行う携帯通信端末において、通信用の周波数と異なる所定の周波数の電磁波を受信する受信手段と、受信手段により受信された電磁波の電界強度を測定する測定手段と、測定手段により測定された電界強度が所定の強度に達することを検出する検出手段と検出に応じて警告を発する警告手段とを備える。また、警告は、音、振動、および光のいずれか、あるいは、すくなくともいずれか２種類の組み合わせである。
【０００７】
【発明の実施の形態】
携帯通信端末の構成を図１に示す。この携帯通信端末は、音声通話やデータ通信に加えて、所定の周波数の電界強度を測定する機能を備える。通信用アンテナ１は、携帯通信端末の音声通話、データ通信などに用いられる周波数の電磁波を受信する。検知用アンテナ２は、所定の周波数の電磁を受信する。なお、通信用アンテナ１と、検知用アンテナ２とは、一体であってもよい。
【０００８】
無線回路３は、通信用アンテナ１で受信された電磁波から音声や通信データを復調する。電界強度測定器４は、検知用アンテナ２で検知可能な近隣の範囲内に存在する物体が放射する、所定の周波数の電磁波の電界強度を測定する。電界強度測定器４は、測定した電界強度が所定の強度に達することを検知すると、警告信号を出力する。標準電圧発生器５は、電界強度測定器４の電源である。
【０００９】
スピーカ６は、無線回路３で復調された音声や、着信音などの出力を行うとともに、電界強度測定器４から出力された警告信号を受けて、警告のための所定の音を発生させる。振動発生器７は、着信を知らせる振動を発生させるとともに、電界強度測定器４から出力された警告信号を受けて、内臓されたモータにより警告のための振動を発生させる。ＬＥＤ８は、着信時などに発光するとともに、電界強度測定器４から出力された警告信号を受けて、点灯、点滅または色の変化などの各種発光をする。液晶ディスプレイ９は、待ち受け画面、電話番号、受信データの内容等を表示するとともに、電界強度測定器４から出力された警告信号を受けて、警告を文字として表示したり、電界強度測定器４が測定した電磁波の電界強度を表示する。なお、ユーザーの選択により、スピーカ６による音の発生、振動発生器７による振動の発生、ＬＥＤ８による発光および液晶ディスプレイ９による表示のいずれかの組み合わせが行われるようにしてもよい。
【００１０】
メモリ１０は、電話番号、メールアドレス、受信メールおよび画像など、音声通話やデータ送受信をおこなう接続先や各種データを記憶する。操作パネル１１は、電話番号の入力、データの入力や、通信と電磁波測定のモード切替などの外部からの入力を受け付ける。ＣＰＵ１２は、携帯通信端末全体の制御を統括する。システムバス１３は、これらの各構成要素を接続する。
【００１１】
電界強度測定器４の内部回路図を図２に簡単に示す。Ｃ、ｒおよびＲの値を組み合わせることにより、所望の周波数の電磁波を検出することができる。電界強度測定器４において入力信号が変調される様子を図３に示す。電界強度測定器４の入力信号２１は、振幅変調波形２２のように振幅変調されて、さらにパルス波形２３のように変調されて、そのピーク値Ｖｐが受信された電磁波の電界強度として測定される。なお、電界強度測定器は受信された電解の強度を測定できるものであれば、どのような構造であってもよい。
【００１２】
【発明の効果】
以上説明したように、この携帯通信端末は、通信用の周波数の電磁波を受信して通信を行う携帯通信端末において、通信用の周波数と異なる所定の周波数の電磁波を受信する受信手段と、受信手段により受信された電磁波の電界強度を測定する測定手段と、測定手段により測定された電界強度が所定の強度に達することを検出する検出手段と検出に応じて警告を発する警告手段とを備え、ユーザは、携帯通信端末の近くにその送受信を妨げる電磁波を発生する物があることを認識することができるため、その電磁波が人体や電気機器に影響を与えるものであれば、その影響を回避したり、その影響から身を守ることができる。また、携帯通信端末に一体化することにより、ユーザの携帯性、利便性が高まる。
【００１３】
また、警告は、音、振動、および光のいずれか、あるいは、すくなくともいずれか２種類の組み合わせであり、ユーザは、容易に近くの電磁波を発生する物の存在を認識することができる。さらに、携帯通信端末が従来から有するスピーカ等の出力手段を利用することにより、警告用に改めて出力手段を設置する必要がなく、安価、軽量に実現できる。
【図面の簡単な説明】
【図１】携帯通信端末の構成図である。
【図２】携帯通信端末の電界強度測定部の一例を示す回路図である。
【図３】電界強度測定部において変調される波形の波形図である。
【符号の説明】
１；通信用アンテナ、２；検知用アンテナ、３；無線回路、４；電界強度測定器、５；標準電圧発生器、６；スピーカ、７；振動発生器、８；ＬＥＤ、９；液晶ディスプレイ、１０；メモリ、１１；操作パネル、１２；ＣＰＵ、１３；システムバス
【図１】
2005038087.tif 000003
【図２】
2005038087.tif 000004
【図３】
2005038087.tif 000005